(57)【要約】      （修正有）【課題】鉢植えの植物の根の部分に、所定量の水を潅水するためにペットボトルの容器を利用して簡便に製作できる潅水装置を提供する。【解決手段】該潅水装置は、容器本体１に形成のネジ部６に羅合し、排出口７の内周に摺動する調節体８を付設の空気調整キャップ１０を備える。また、容器本体の底部に排出孔５が形成してあり、前記調節体に対応する位置には外部と導通する空気孔２０ａ〜２０ｆが形成してある。そして、空気調整キャップの回転に応じて調節体８によって、空気孔から容器本体内に流入する空気量が調整され、その空気量によって排出孔からの液適量が調整される。又、容器本体に取り付けるキャップに円筒体を垂設して排出口を形成し、該円筒体の外周にネジ部と前記円筒体の内周に摺動する調節体を付設した空気調整キャップ１０を備えても良い。【選択図】図１
0003164251.tif 000002
【実用新案登録請求の範囲】
【請求項１】
容器本体に形成のネジ部に羅合し、排出口の内周に摺動する調節体を付設の空気調整キャップを備える植物の潅水装置であり、
前記容器本体の底部に排出孔を形成し、
前記調節体に対応する位置に外部と導通する空気孔を形成し、
前記空気調整キャップの回転による調節体によって前記空気孔から容器本体内に流入する空気量の調整を介して前記排出孔からの液適量を調整することを特徴とする植物の潅水装置。
【請求項２】
容器本体に取り付けるキャップに円筒体を垂設して排出口を形成し、該円筒体の外周にネジと前記円筒体の内周に摺動する調節体を付設の空気調整キャップを備える植物の潅水装置であり、
前記容器本体の底部に排出孔を形成し、
前記調節体に対応する位置に外部と導通する空気孔を形成し、
前記空気調整キャップの回転による調節体によって前記空気孔から容器本体内に流入する空気量の調整を介して前記排出孔からの液適量を調整することを特徴とする植物の潅水装置。
【請求項３】
請求項１又は請求項２の植物の潅水装置であって、
空気孔を螺旋状に形成することを特徴とする植物の潅水装置。
【請求項４】
請求項１から請求項３のいずれか１項の植物の潅水装置であって、
容器本体の底部に形成の排出孔から液滴を誘導する排出管を付設し、
排出管の外形を下方向に向かって拡大するテーパ状である植物の潅水装置。
【考案の詳細な説明】
【技術分野】
【０００１】
本考案は、植物、特に、鉢植えの植物の根の部分に、所定量の水を潅水するための簡便に製作できる潅水装置を提供する。
【背景技術】
【０００２】
従来、この植物の潅水装置として、例えば、引用文献1がある。この引用文献1には、射出成形されたプラスチック容器において、特殊な筒状のキャップを利用するものであり、キャップ内には、前記容器に接合するネジの他に溝が形成してある。そして、その溝にはセラミックなどの多孔質の材料からなる円錐体が装着してある。尚、この円錐体はその材料から、水が染み出すことができる。
そして、前記容器に水を満たして、円錐体を植物の根元に挿入すると、上部に水が入った容器は上になり、円錐体の多孔質により空気が容器内に入ると共に、水が染み出て、植物の根元に注水される。
【先行技術文献】
【特許文献】
【０００３】
【特許文献１】特表２００４−５３４５４８号公報
【考案の概要】
【考案が解決しようとする課題】
【０００４】
前記プラスチックボトルを使用しての植物の潅水装置であるが、キャップが特殊形状であり、且つ、多孔質の円錐体を使用しているので、廃棄用のプラスチックボトルを使用するに当たって更に簡便な構造のものが望まれている。
そこで、本願の考案は、極めて簡便な構造の植物の潅水装置を提供するものである。
【課題を解決するための手段】
【０００５】
請求項１の植物の潅水装置は、容器本体に形成のネジ部に羅合し、排出口の内周に摺動する調節体を付設の空気調整キャップを備えている。
また、この植物の潅水装置には容器本体の底部に排出孔が形成してあり、前記調節体に対応する位置には外部と導通する空気孔が形成してある。そして、空気調整キャップの回転による調節体によって、空気孔から容器本体内に流入する空気量の調整され、その空気量によって排出孔からの液適量が調整される。
【０００６】
又、請求項２の植物の潅水装置は、容器本体に取り付けるキャップに円筒体を垂設して排出口を形成し、該円筒体の外周にネジ部と前記円筒体の内周に摺動する調節体を付設の空気調整キャップを備えている。
また、この植物の潅水装置には、前記容器本体の底部に排出孔が形成されていて、前記調節体に対応する位置に外部と導通する空気孔が形成されている。
そして、空気調整キャップの回転による調節体によって前記空気孔から容器本体内に流入する空気量の調整を介して前記排出孔からの液適量を調整する。
【０００７】
又、請求項３の植物の潅水装置は、請求項１の植物の潅水装置における空気孔を螺旋状に形成するものである。この螺旋状に形成の空気孔によって、空気調整キャップの回転調整によって、液滴量を調整することができる。
又、請求項４の植物の潅水装置は、請求項１又は請求項２の植物の潅水装置における容器本体の底部に形成してある排出孔から液滴を誘導する排出管が付設してある。そして、この排出管の外形は、下方向に向かって拡大するテーパ状である。
【考案の効果】
【０００８】
本考案の植物の潅水装置は簡便な構成で、液適量の調整ができる。
【図面の簡単な説明】
【０００９】
【図１】植物の潅水装置の使用状態の断面図と空気孔の位置を示す図である。
【図２】ネジ部に形成の空気孔の詳細図である。
【図３】他の構造の植物の潅水装置を示す図である。
【図４】特定の口径の空気孔における容器本体内に連通する空気孔の数と液適量の関係を示す図である。
【図５】特定の口径の空気孔における容器本体内に連通する空気孔の数と液適量の関係を示す図である。
【図６】特定の口径の空気孔における容器本体内に連通する空気孔の数と液適量の関係を示す図である。
【図７】特定の口径の空気孔における容器本体内に連通する空気孔の数と液適量の関係を示す図である。
【考案を実施するための形態】
【００１０】
本考案の植物の潅水装置は、容器本体内に充填されている液体（水等）を滴下させるものであり、排出管３及び容器本体の底部２の一部を土の中に挿入して安定状態で使用の断面と空気孔の位置を示す図１、ネジ部６の下部に形成の空気孔２０の詳細を示す図２を参照して説明する。
容器本体１は、例えば、ペットボトルであり、その底部２には排出孔５が形成してあり、その排出孔５からの液滴を誘導する排出管３が熱溶着、接着剤等で取り付けてある。この排出管３は、上部（容器本体側）の外径３ａが下部の外径３ｂより小さい、即ち、下方向に向かって拡大するテーパ状であり、先端は尖塔状に形成してあり、内部には同径の挿通孔４が形成してある。尚、前記排出管３の上部の外径３ａは９ｍｍ、下部の外径は１０ｍｍ、長さは５０ｍｍ、挿通孔４の口径は６ｍｍであり、その挿通孔４にはセラミック等の浸透する物体を詰めて使用する。
尚、この排出管３の外形がテーパ状であるのは、底部２との装着性を高めると共に、排出管の異なる外径に対応可能であるし、又、この排出管３を土に挿入するとき、排出管３が排出孔５から容器内に挿入されるのを防止するためである。又、この排出管３を付設することによって、容器本体１を土の上に安定して置くことができる。又、この排出管３の口径、長さは、植物、土壌の状態等を考慮して選定する。また、容器本体の底部に排出管３が付設してあるが、この排出管３は必ずしも必要ではない。
【００１１】
前記本体容器１の上部の排出口７の外側には、ネジ部６が形成してある。空気調整キャップ１０の内周面には、前記ネジ部６と螺合するネジ部１０ａが形成してあると共に、天蓋部から前記排出口７の内周に摺動する弾性を備える調節体８が後述する空気孔２０に対応して付設してある。なお、調節体８が空気孔２０に対峙すると、空気孔２０は閉鎖されて、外部の空気を本体容器１内に導くことができない。
即ち、前記空気調整キャップ１０の位置（調節体８の位置）によって、空気孔２０は閉鎖されるか開放されるかし、開放されたときには、外部の空気が、その空気孔２０を介して容器本体１内に流入するので、、空気量は開放状態の空気孔２０の数によって調整され、排出孔５から排出する液滴量の調整が行われる。
【００１２】
空気孔２０は、前記調節体８に対応してネジ部６の下部の、外周面が平坦の円筒体部に形成されている。そして、その空気孔２０は、前記ネジ部６のピッチに合わせて、空気調整キャップ１０が２回転すると、前記調節体８も２回転し、外部の空気は６個の空気孔（２０ａ〜２０ｆ）から容器本体内１に流入可能に、下記する要領で、前記円筒体部に螺旋状に形成してある。
空気孔２０ｂは空気孔２０ａを基準に、０．４ｍｍ上で、平面視、反時計方向に１２０度離れた位置に形成してある。又、空気孔２０ｃは、前記空気孔２０ｂを基準に、０．４ｍｍ上で、平面視、反時計方向に１２０度離れた位置に形成してある。
【００１３】
又、空気孔２０ｄは、前記空気孔２０ｃを基準に、０．４ｍｍ上で、平面視、反時計方向に１８０度離れた位置に形成してある。即ち、この空気孔２０ｄは、平面視、前記空気孔２０ａと空気孔２０ｂの間に形成してある。又、空気孔２０ｅは、前記空気孔２０ｄを基準に、０．４ｍｍ上で、平面視、反時計方向に１２０度離れた位置に形成してある。また、空気孔２０ｆは、前記空気孔２０ｅを基準に、０．４ｍｍ上で、反時計方向に１２０度離れた位置に形成してある。
以上の６個の空気孔２０ａ〜２０ｆは、螺旋状に形成してあり、空気調整キャップ１０を２回転させると、全ての空気孔２０を介して外部と容器本体内１とが導通する。
【００１４】
次に、図３は他の構造の植物の潅水装置の断面を示す図である。この植物の潅水装置は、既存のペットボトルの排出口７に被せるキャップ１８を利用するものであり、このキャップ１８は容器本体１に形成のネジ部２５とキャップ１８に形成のネジ部２６で螺合されている。
又、前記キャップ１８には円筒体２２が垂設してあり、排出口７ａを構成する。そして、前記と同じ要領で、その円筒体２２の外周にはネジ部６が形成され、その下部には空気孔２０ａ〜２０ｆが螺旋状に形成されている。
又、空気調整キャップ１０の内部には、前記ネジ部６に螺合するネジ部１０ａが形成されていると共に、前記円筒体２２内に挿入して内周に摺動する調節体８を備えている。そして、前記調節体８を円筒体２２に内挿して、空気調整キャップ１０をネジ部６を介して回転すると、調節体８に対峙する空気孔２０は閉鎖されるが、対峙しない空気孔２０は導通して、外部の空気は該空気孔２０から前記排出口７を通って容器本体１内に導かれる。
このように、従来のペットボトルのキャップ１８を利用して、空気孔２０を作成すると共に、新たに空気調整キャップ１０を作成しても、同じ機能を果たすことができる。
【００１５】
次に、前記ネジ部６の下部の円筒体部に形成された空気孔２０の口径と、それらの空気孔２０を介して、前記空気調整キャップ１０の回転による調節体８を介して外部から容器本体１内に流入する空気量に対する容器本体１内の残存液量の関係について説明する。
即ち、図４〜図７は、容器本体１内に２リットルの液体（水等）を充填して、図１に示すように排出管３を土に挿入して、空気調整キャップ１０（調節体８）の位置による容器本体１内と連通する空気孔２０の数に対する液体の減少時間を示す。図４〜図７は、縦軸に容器本体内の液体の残存量をとり、横軸に経過時間を示す。
【００１６】
（１）例１（図４）
この例１では、６個の空気孔（２０ａ〜２０ｆ）の口径を０.４ｍｍとし、図４（Ａ）は、空気孔２０ａ、２０ｂの２個が空気調整キャップ１０によって導通させると、２リッタを液滴するのに約３０時間、図４（Ｂ）は、空気孔２０ａ〜２０ｄの４個が空気調整キャップ１０によって導通であり、２リッタを液滴するのに約２０時間、図４（Ｃ）は、空気孔２０ａ〜２０ｆの６個が空気調整キャップ１０によって導通であり、２リッタを液滴するのに約１５時間である。
（２）例２（図５）
この例２では、６個の空気孔（２０ａ〜２０ｆ）の口径を０.３ｍｍとし、図５（Ａ）は、空気孔２０ａ、２０ｂの２個が空気調整キャップ１０によって導通であり、２リッタを液滴するのに約３５時間、図５（Ｂ）は、空気孔２０ａ〜２０ｄの４個が空気調整キャップ１０によって導通であり、２リッタを液滴するのに約２５時間、図５（Ｃ）は、空気孔２０ａ〜２０ｆの６個が空気調整キャップ１０によって導通であり、２リッタを液滴するのに約２０時間である。
【００１７】
（３）例３（図６）
この例３では、６個の空気孔（２０ａ〜２０ｆ）の口径を０.２ｍｍとし、図６（Ａ）は、空気孔２０ａ、２０ｂの２個が空気調整キャップ１０によって導通で、４０時間経過後は約０．５リッタの減少であり、図６（Ｂ）は、空気孔２０ａ〜２０ｄの４個が空気調整キャップ１０によって導通で、４０時間経過して１リッタ減少、図６（Ｃ）は、空気孔２０ａ〜２０ｆの６個が空気調整キャップ１０によって導通であり、４０時間経過して、約１．５リッタ減少した。
（４）例４（図７）
この例４では、２個の空気孔（２０ａ〜２０ｂ）の口径が０.２ｍｍ、２個の空気孔（２０ｃ〜２０ｄ）の口径が０.３ｍｍ、２個の空気孔（２０ｅ〜２０ｆ）の口径が０.４ｍｍとし、図７（Ａ）は、空気孔２０ａ、２０ｂの２個が空気調整キャップ１０によって導通であり、４０時間経過して約１リッタの減少、図７（Ｂ）は、空気孔２０ａ〜２０ｄの４個が空気調整キャップ１０によって導通であり、４０時間経過して約１リッタ減少、図７（Ｃ）は、空気孔２０ａ〜２０ｆの６個が空気調整キャップ１０によって導通であり、４０時間で約１.５リッタ減少した。
【００１８】
前記例１〜例４において、液適量は、空気調整キャップ１０による本体容器１内と導通する空気孔２０の数に対応して、即ち、流入する空気量に対して、ほぼ、直線状に変化するので、液適量を管理するための空気孔の口径、数、位置の選定は容易である。
尚、前記空気孔の口径、数は適宜選定すればよいし、ネジ部に形成してもよいし、又、空気孔の形成する形状は螺旋状の他に、垂直状に形成したり、水平に形成したり等、目的に対応して形成すればよい。
また、前記容器には廃品の有効利用を考慮してペットボトルを使用する例であるが、容器はガラス等、種々の材質、形状等、目的に対応して選定する。
【符号の説明】
【００１９】
１  容器本体
２  底部
３  排出管
４  挿通孔
５  排出孔
６  ネジ部
７，７ａ  排出口
８  調節体
１０  空気調整キャップ
２０（２０ａ〜２０ｆ）  空気孔
【図１】
0003164251.tif 000003
【図２】
0003164251.tif 000004
【図３】
0003164251.tif 000005
【図４】
0003164251.tif 000006
【図５】
0003164251.tif 000007
【図６】
0003164251.tif 000008
【図７】
0003164251.tif 000009